(57)【要約】【課題】毒餌剤を供給した毒餌剤載置皿に向けて害虫が容易に侵入するとともに、部品点数が少なく、組立てや設置作業を簡単に行い得る毒餌剤容器を提供すること。【解決手段】毒餌剤容器１は、一対の毒餌剤載置皿３ａ，３ｂを備え、両者はヒンジ部５により連結されている。一方の毒餌剤載置皿３ａには筒状の挿入部材１５が形成され、他方の毒餌剤載置皿３ｂには筒状の嵌合部材１７が形成されている。毒餌剤容器１を構成する場合は、一方の毒餌剤載置皿３ａを矢印Ｘ方向に回動するか、あるいは他方の毒餌剤載置皿３ｂを矢印Ｙ方向に回動して、挿入部材１５を嵌合部材１７に嵌め込むだけでよく、組立作業が簡単である。また、毒餌載置皿３ｂには棒状体１９が設けられているので、棒状体１９を例えば地面に差し込むことにより、毒餌剤容器１を所望位置に設置して固定することができる。【選択図】図２
2011010629.tif 000002
【特許請求の範囲】
【請求項１】
毒餌剤載置面の周縁部に凸状ガード部が形成された一対の毒餌剤載置皿と、
設置時に一対の前記毒餌剤載置皿間に害虫が侵入可能な上下方向の間隙が形成されるように、一対の前記毒餌剤載置皿の前記毒餌剤載置面を対向させて、一対の前記毒餌剤載置皿を上下方向に離間して支持する支持機構と、
少なくとも一方の前記毒餌剤載置皿の外面に設けられた棒状体と、
を備えたことを特徴とする毒餌剤容器。
【請求項２】
一対の前記毒餌剤載置皿は、ヒンジ部により連結されていることを特徴とする請求項１に記載の毒餌剤容器。
【請求項３】
前記凸状ガード部の少なくとも一部は、前記毒餌剤載置皿の下面からの高さが２ｍｍ以下に設定されていることを特徴とする請求項１又は２に記載の毒餌剤容器。
【請求項４】
前記凸状ガード部は、前記毒餌剤載置皿の外周部に沿って、長さが３ｍｍ以上の切欠が形成されていることを特徴とする請求項１〜３の何れかに記載の毒餌剤容器。
【請求項５】
前記支持機構は、一方の前記毒餌剤載置皿の内面に設けられた筒状の挿入部材と、他方の前記毒餌剤載置皿の内面に設けられ前記挿入部材が嵌合する嵌合部材とを有し、前記挿入部材及び前記嵌合部材は底のない中空部を有し、前記棒状体は、一方の前記毒餌剤載置皿に設けられ、且つ前記挿入部材及び前記嵌合部材の前記中空部と連通し別の毒餌剤容器の棒状体を収容可能な中空部を有することを特徴とする請求項１〜４の何れかに記載の毒餌剤容器。
【請求項６】
請求項１〜５の何れかに記載の毒餌剤容器の、一方の前記毒餌剤載置皿の前記毒餌剤載置面に、毒餌剤を収容したチューブ型容器から毒餌剤を供給し、前記毒餌剤を供給された前記毒餌剤載置皿を下にして前記毒餌剤容器を設置することを特徴とする毒餌剤容器の設置方法。
【発明の詳細な説明】
【技術分野】
【０００１】
本発明は、アリ等の害虫を誘引して殺すための毒餌剤を収容する毒餌剤容器、及び当該毒餌剤の設置方法に関する。
【背景技術】
【０００２】
従来、下記特許文献１に開示された害虫捕獲器が知られており、図９はこの害虫捕獲器の要部構成を示すものである。
【０００３】
この害虫捕獲器は、微生物分解可能なプラスチック製円形トレイ状の上面開口容器１０１に、ゲル状の毒餌剤１０２を収容し、開口縁１０３には外方向に下る斜面状が設けられ、開口の内周面には段部１０４が形成され、ここに熱可塑性の合成樹脂膜１０５の周縁がヒートシールされ、これを使用時に引き剥がしてゲル状の毒餌剤１０２を露出させるものである。
【０００４】
上面開口容器１０１の底面に筒体１０６を付設し、これに固定用ピン１０７を挿通してピン上端に円傘状の覆い１０８を取り付ける。なお、覆い１０８の下側面中央部には、固定用ピン１０７の上端に形成した球状部を嵌脱させる球面ジャーナル部１０９が形成されている。
【０００５】
前記構成の害虫捕獲器を使用する場合は、合成樹脂膜１０５を剥がして毒餌剤１０２を露出させた後、筒体１０６に固定用ピン１０７を挿通して地面等に固定する。そして、円傘用の覆い１０８に形成した球面ジャーナル部１０９を固定用ピン１０７の上端に形成した球状部に嵌め込み、直射日光や雨水の侵入を防ぐようにする。
【０００６】
なお、特許文献１には、前記構成以外に、上面開口容器の一端にヒンジ部を介して皿状の覆いを設けた害虫捕獲器も開示されているが、上面開口容器は固定用のピンによって地面等に固定される構成である。
【先行技術文献】
【特許文献】
【０００７】
【特許文献１】特開平４−３３５８５１号公報
【発明の概要】
【発明が解決しようとする課題】
【０００８】
従来の害虫捕獲器にあっては、害虫が毒餌剤１０２に到達するためには、開口縁１０３を乗り越えねばならず、害虫を害虫捕獲器内に誘い込みにくかった。
【０００９】
また、害虫捕獲器は、上面開口容器１０１、固定用ピン１０７、円傘状の覆い１０８等により構成され、部品点数が多かった。
【００１０】
更に、害虫捕獲器の組立に際しては、合成樹脂膜１０５の剥離、固定用ピン１０７の差し込みによる上面開口容器１０１の固定、円傘状の覆い１０８の嵌めこみ等の面倒な作業が必要であった。
【００１１】
なお、上面開口容器にヒンジ部を介して皿状の覆いを設けた構成にあっても、害虫の誘い込みにくさは同様であり、上面開口容器とは別部品の固定用ピンが必要である上に、設置に手間が掛ることも変わりない。
【００１２】
本発明の目的は、上記課題を解消することに係り、毒餌剤に向けてアリ等の害虫が侵入し易く、しかも部品点数が少ない上に組立の容易な毒餌剤容器を提供することにある。
【課題を解決するための手段】
【００１３】
本発明の上記目的は、下記構成により達成される。
（１）毒餌剤載置面の周縁部に凸状ガード部が形成された一対の毒餌剤載置皿と、
設置時に一対の前記毒餌剤載置皿間に害虫が侵入可能な上下方向の間隙が形成されるように、一対の前記毒餌剤載置皿の前記毒餌剤載置面を対向させて、一対の前記毒餌剤載置皿を上下方向に離間して支持する支持機構と、
少なくとも一方の前記毒餌剤載置皿の外面に設けられた棒状体と、
を備えたことを特徴とする毒餌剤容器。
【００１４】
（２）一対の前記毒餌剤載置皿は、ヒンジ部により連結されていることを特徴とする上記（１）に記載の毒餌剤容器。
【００１５】
（３）前記凸状ガード部の少なくとも一部は、前記毒餌剤載置皿の下面からの高さが２ｍｍ以下に設定されていることを特徴とする上記（１）又は（２）に記載の毒餌剤容器。
【００１６】
（４）前記凸状ガード部は、前記毒餌剤載置皿の外周部に沿って、長さが３ｍｍ以上の切欠が形成されていることを特徴とする上記（１）〜（３）の何れかに記載の毒餌剤容器。
【００１７】
（５）前記支持機構は、一方の前記毒餌剤載置皿の内面に設けられた筒状の挿入部材と、他方の前記毒餌剤載置皿の内面に設けられ前記挿入部材が嵌合する嵌合部材とを有し、前記挿入部材及び前記嵌合部材は底のない中空部を有し、前記棒状体は、一方の前記毒餌剤載置皿に設けられ、且つ前記挿入部材及び前記嵌合部材の前記中空部と連通し別の毒餌剤容器の棒状体を収容可能な中空部を有することを特徴とする上記（１）〜（４）の何れかに記載の毒餌剤容器。
【００１８】
（６）上記（１）〜（５）の何れかに記載の毒餌剤容器の、一方の前記毒餌剤載置皿の前記毒餌剤載置面に、毒餌剤を収容したチューブ型容器から毒餌剤を供給し、前記毒餌剤を供給された前記毒餌剤載置皿を下にして前記毒餌剤容器を設置することを特徴とする毒餌剤容器の設置方法。
【００１９】
上記（１）の構成によれば、支持機構によって一対の毒餌剤載置皿の毒餌剤載置面を対向させるように支持することができ、しかも一対の毒餌剤載置皿間にアリ等の害虫が侵入可能な隙間を形成することができる。
【００２０】
上記（２）の構成によれば、一対の毒餌剤載置皿がヒンジ部を介して連結されているので、一対の毒餌剤載置皿がバラバラに分散することがなく、更にヒンジ部を利用することにより一対の毒餌剤載置皿を容易に対向させることができる。
【００２１】
上記（３）の構成によれば、凸状ガード部の少なくとも一部の高さが２ｍｍ以下に設定されているので、アリ等の害虫が凸状ガード部を乗り越え易く、一対の毒餌剤載置皿間からアリ等の害虫が容易に侵入し易くなる。つまり、図１〜図７に記載の毒餌剤容器１を用いた場合は、切欠のある谷形部分７ｂの高さが２ｍｍ以下であればよく、山形部分７ａの高さは２ｍｍより大きくても構わない。
【００２２】
上記（４）の構成によれば、凸状ガード部に幅３ｍｍ以上の切欠が形成されているので、アリ等の害虫が凸状ガード部を乗り越えなくても切欠を通って毒餌剤に到達することができ、更に容易に侵入し易くなる。
【００２３】
前記（５）の構成によれば、複数の毒餌剤容器を積み重ねたときに、支持機構を構成する筒状の挿入部材及び嵌合部材のそれぞれの中空部を介して、毒餌剤容器の棒状体の中空部内に、他の毒餌剤容器の棒状体を挿入して積み重ねることができる。これにより、複数の毒餌剤容器の搬送、収納時に占有面積が大きくならない。
【００２４】
上記（６）の構成によれば、設置場所で毒餌剤を毒餌剤容器内に容易に載置することができるので、毒餌剤を毒餌剤容器内に載置してから設置場所まで搬送する場合に比べて、作業者の手が汚れたり、設置場所以外に毒餌剤が落下したりすることを防止できる。
また、薬剤を別添にすることで容器に密閉性は必要なくなり、図９に示した従来例のような薬剤収容部を密閉する合成樹脂膜が不要である。また、安定性が保たれた製剤を容器の大きさや対象とする害虫に応じて適量載置できる。
【００２５】
本発明に用いることのできる毒餌剤の形状としては、例えば粉剤などの固形製剤、ジェル、グミ、吸水性ポリマーの膨潤体などの半固形製剤、シロップ、ゾルなどの粘性が高い液状製剤が挙げられる。
【発明の効果】
【００２６】
本発明の毒餌剤容器によれば、毒餌剤載置面が形成された一対の毒餌剤載置皿を、毒餌剤載置面が対向するように、且つ所定の隙間が形成されるように支持機構によって支持することができ、隙間からアリ等の害虫が侵入できるようになる。
【００２７】
また、毒餌剤載置皿の外面に棒状体が設けられているので、一対の毒餌剤載置皿を対向するように支持したとき、棒状体を地面等に差し込んで位置決めして固定できる。また、これとは上下逆向きで毒餌剤容器を設置するときには、棒状体を手指でつまんで設置作業をすることができる。更に、搬送時には棒状体を手指でつまむことができ、搬送が容易である。
【００２８】
更に、毒餌剤容器を設置時に、毒餌剤は毒餌剤載置皿により上方を覆われているので、雨水の侵入が防止され、太陽光の直射が防止され、犬猫等が毒餌剤を食べることが防止される。
【００２９】
本発明が対象とする害虫は、容器に形成された隙間に入ることのできる害虫であれば特に限定されるものではなく、例えば、アリ、ダンゴムシ、ナメクジ、ムカデ、ヤスデ、ワラジムシ等が挙げられる。特にアリに対して有効である。
【図面の簡単な説明】
【００３０】
【図１】（ａ）は本発明に係る毒餌剤容器の実施形態を示す平面図であり、（ｂ）は毒餌剤容器の構成を示す側面図であり、（ｃ）は毒餌剤容器の構成を示す底面図である。
【図２】毒餌剤容器の構成を示す図１（ａ）のＡ−Ａ断面図である。
【図３】一対の毒餌剤載置皿が対向するように支持した形態を示す断面図である。
【図４】毒餌剤容器を組み立てた形態を示す斜視図である。
【図５】毒餌剤容器を展開した状態を示す斜視図である。
【図６】毒餌剤容器を重ねた形態を示す断面図である。
【図７】毒餌剤容器の使用状態を示す断面図である。
【図８】実験例に用いた毒餌剤容器の斜視図である。
【図９】従来の害虫捕獲器の一例を示す断面図である。
【発明を実施するための形態】
【００３１】
以下、本発明に係る毒餌剤容器及び毒餌剤設置方法の一実施形態について、図面を参照して詳細に説明する。下記実施形態は、アリを対象としたときの毒餌剤容器である。
【００３２】
本実施形態における毒餌剤容器１は、図１（ａ）、（ｂ）、（ｃ）に示すように、２つの毒餌剤載置皿３ａ，３ｂを備え、各毒餌剤載置皿３ａ，３ｂの外周縁の一端は撓み変形可能な帯片からなるヒンジ部５を介して連結されている。
【００３３】
毒餌剤載置皿３ａ，３ｂ及びヒンジ部５は、合成樹脂を一体成型して形成されたものであり、毒餌剤載置皿３ａ，３ｂを上面及び下面から見た形状は、図１（ａ）、（ｃ）に示すように五弁の花びらのようになっている。従って、毒餌剤載置皿３ａ，３ｂの外形部分には、５つの円弧状の山形部分７ａと５つの谷形部分７ｂとが交互に形成されることになる。
【００３４】
毒餌剤載置皿３ａ，３ｂの周縁部には、図２に断面形状で示すように凸状ガード部９が形成されている。そして、凸状ガード部９のうちの谷形部分７ｂに対応する位置に、アリが出入りする通路となる切欠１１が形成されている。
【００３５】
切欠１１の幅ｗ（図１参照）は３ｍｍ以上に設定され、本実施形態では４ｍｍに設定されている。なお、切欠１１がない山形部分７ａにおける凸状ガード部９の高さｈ（図２参照）は、本実施形態では２．５ｍｍに設定され、毒餌剤載置皿３ａ，３ｂの下面から切欠１１の底部までの高さｈａは１．５ｍｍに設定されている。
【００３６】
一方の毒餌剤載置皿３ａの中心部には、支持機構１３の一部を構成する筒状の挿入部材１５が形成されている。これに対し、他方の毒餌剤載置皿３ｂの中心部には、支持機構１３の一部を構成する筒状の嵌合部材１７が形成されている。挿入部材１５には貫通孔１５ｃが形成され、嵌合部材１７には貫通孔１７ｃが形成されている。
【００３７】
支持機構１３は、一対の毒餌剤載置皿３ａ，３ｂ間に所定の間隙が形成されるように一対の毒餌剤載置皿３ａ，３ｂを支持固定するためのものである。即ち、図２に矢印Ｘで示すように一方の毒餌剤載置皿３ａを回動させて他方の毒餌剤載置皿３ｂに合体させる場合、或いは矢印Ｙで示すように他方の毒餌剤載置皿３ｂを回動させて一方の毒餌剤載置皿３ａに合体させる場合の何れであっても、筒状の挿入部材１５が筒状の嵌合部材１７に嵌合され、毒餌剤載置皿３ａと毒餌剤載置皿３ｂとの間に所定の間隙が形成される。必要があれば、毒餌剤載置皿３ａ，３ｂは離脱させることも可能である。このように一対の毒餌剤載置皿３ａ，３ｂを所定の位置で合体することで、図３に示すような１個の毒餌剤容器１が組み立てられる。
【００３８】
ここで、組み立てられた毒餌剤容器１において、一対の毒餌剤載置皿３ａ，３ｂ間の間隙ｇは、アリが出入りするための通路になる。そこで本実施形態では、筒状の挿入部材１５を筒状の嵌合部材１７に嵌合する際、その先端面１５ａが筒状の嵌合部材１７内の底面１７ａに当接した時点で、それ以上の挿入が行われないように構成されている。この構成によれば、一対の毒餌剤載置皿３ａ，３ｂ間の間隙ｇは、支持機構１７の作用によって常に一定に保持される。
【００３９】
なお、筒状の挿入部材１５の先端部分はテーパ面に形成され、筒状の嵌合部材１７への嵌合が円滑に行われるようになっている。また、筒状の嵌合部材１７の内壁には、１２０°間隔で３個のリブ１７ｂが形成されている。この構成によれば、筒状の嵌合部材１７の貫通孔１７ｃ内への筒状の挿入部材１５の嵌合が円滑に行われる上に、嵌合後は抜け出しにくくなり、一対の毒餌剤載置皿３ａ，３ｂの支持固定が確実に行われることになる。
【００４０】
もう一方の毒餌剤載置皿３ｂの一側面、即ち図１（ｂ）、図２及び図３に示す下側面には、中空且つ先細り形状の棒状体１９が一体に形成されている。この棒状体１９は、毒餌剤容器１を例えば地面等に固定する際の固定具としての機能と、持ち運ぶ際又は薬剤を処理する際の持ち手としての機能を有し、その他にも複数の毒餌剤容器１を重ねて収容する際の連結具としての機能とを有している。このために、棒状体１９には中空部１９ｃが形成されている。
【００４１】
そして、図６に示すように、挿入部材１５、嵌合部材１７の各貫通孔１５ｃ、１７ｃ及び棒状体１９の中空部１９ｃが連通した状態で、これらの中に他の毒餌剤容器１の棒状体１９が収容されるようになっている。なお、棒状体１９の中空部１９ｃは貫通孔であり、使用時に雨水等が中空部１９ｃ内に溜まらないようになっている。
【００４２】
また、毒餌剤容器１を例えばコンクリート等の硬い面上に設置する場合は、棒状体１９が上になるようにして載置するが、この場合は棒状体１９がつまみ部として機能する。
【００４３】
棒状体１９の内部には、図１（ａ）及び図２等に示すように１２０°間隔でリブ１９ａが形成されている。このリブ１９ａは、図６に示すように複数の毒餌剤容器１を積み重ねた際の棒状体１９の差し込み量を規制する機能を有している。
【００４４】
図６に示すように、複数の毒餌剤容器１を積み重ねる際、下方の毒餌剤容器１の挿入部材１５、嵌合部材１７の各貫通孔１５ｃ、１７ｃ及び、棒状体１９の中空部１９ｃ内に、上方の毒餌剤容器１の棒状体１９が収容され、複数の毒餌剤容器１が安定に積層される。
【００４５】
なお、本実施形態において、図１及び図３に示す各寸法は、毒餌剤載置皿３ａ、３ｂの外径（最外部を結んだ円の直径）ｄが３０ｍｍ、上下の毒餌剤載置皿３ａ，３ｂ間の間隙ｇが５ｍｍ、上側の毒餌剤載置皿３ａの上面から下側の毒餌剤載置皿３ｂの下面までの長さｊが１０ｍｍ、棒状体１９の長さｋが２０ｍｍである。
【００４６】
上下の毒餌剤載置皿３ａ，３ｂ間の間隙ｇは、３〜１０ｍｍが好ましく、３ｍｍ未満であると害虫が容器内部に入りにくく、１０ｍｍを超えると雨水や日光にさらされるため好ましくない。
【００４７】
棒状体１９の長さｋは、１５〜５０ｍｍが好ましく、１５ｍｍ未満であると持ちにくく、設置が不安定になり、５０ｍｍを超えると差し込みにくく扱いづらい。
【００４８】
次に、毒餌剤容器１を用いた毒餌剤設置方法を説明する。
図２に想像線で示すように、毒餌剤２１は、別容器である例えばチューブ２３内から凸状ガード部９に囲まれた平板状の毒餌剤載置面２５ａ，２５ｂ上に供給される。但し、２つの毒餌載置面２５ａ，２５ｂの何れに供給するかは、毒餌剤容器１の使用形態によって異なる。供給された毒餌剤２１は、凸状ガード部９により流出が防止されている。
【００４９】
例えば、毒餌剤容器１を図３に示すように棒状体１９を下にして使用する場合は、毒餌剤２１を毒餌剤載置面２５ｂ上に供給する。これに対し、棒状体１９を上にして使用する場合は、毒餌剤２１を毒餌載置面２５ａ上に供給する。
【００５０】
つまり、毒餌剤２１を毒餌剤載置面２５ｂ上に供給した場合は、図２に矢印Ｘで示すように一方の毒餌剤載置皿３ａを回動させ、筒状の挿入部材１５を筒状の嵌合部材１７に嵌合して、図３に示す形態に組み立てる。次いで、図７に示すように、棒状体１９を例えば設置場所である地面等に差し込んで、毒餌剤容器１を固定する。
【００５１】
一方、毒餌剤容器１を硬いコンクリート等の硬い面上に設置する場合は、毒餌剤載置面２５ａ上に毒餌剤２１を供給し、図２に矢印Ｙで示すように他方の毒餌剤載置皿３ｂを回動させ、筒状の嵌合部材１７内に筒状の挿入部材１５を嵌合させる。そして、棒状体１９が上になるようにして、即ち一方の毒餌剤載置皿３ａが下になるようにして硬い面上に設置する。
いずれも、嵌合させた後、形成された間隙から毒餌剤を供給してもよい。
【００５２】
上記のように、毒餌剤容器１を設置した状態では、毒餌剤２１は設置状態の如何にかかわらず、毒餌剤載置皿３ａ，３ｂの何れかにより上方を覆われる。従って、雨水の侵入が防止され、太陽光の直射が防止され、犬猫等が毒餌剤２１を食べることが防止される。
【００５３】
また、中空部１９ｃを有する棒状体１９を設けることにより、図６に示すように毒餌剤容器１を複数段に積層することができ、搬送、収納時に占有面積が大きくならず便利である。また、毒餌剤載置皿３ａ，３ｂの外形部分に山形部７ａと谷形部７ｂが形成されているので、山形部７ａに手指をかけることで、載置した毒餌剤２１に触れることなく毒餌剤容器１を持つことができ、持ちやすくなるので、作業性が向上する。
【００５４】
更に、各部品が一体になっているので、製造工程が少なく、効率的に生産できる上に、包装、搬送が容易であり、店頭での展示も効率的に行うことができる。
【００５５】
本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【００５６】
例えば、毒餌剤載置皿３ａ，３ｂの平面形状は、前記花びら形状に限定されず、多角形、円形等であってもよい。また、棒状体１９は毒餌剤載置皿３ａ，３ｂの両方にあってもよく、数も１つ又は２つ以上であってもよい。
【００５７】
また、２つの毒餌剤載置皿３ａ，３ｂを一体成形せずに、２つの毒餌剤載置皿３ａ，３ｂを別々に成形した後、両者をテープ等で連結し、このテープ等をヒンジ部として構成してもよい。
【００５８】
次に、前記毒餌剤載置皿の高さの設定に関する実験例を説明する。
図８に示すような、円形で切欠のない毒餌剤容器１´の毒餌剤載置皿３ａ´，３ｂ´の凸状ガード部９´の高さｈ´について、アリの侵入性を向上させるため、以下のような実験を行った。
【００５９】
実験に際し、凸状ガード部９´の高さｈ´が４ｍｍ、３ｍｍ、２ｍｍ、１ｍｍの毒餌剤載置皿３ａ´，３ｂ´を準備した。
【００６０】
実験方法
（１）直径９０ｍｍの金属シャーレにアミメアリ２０頭及び水を含ませた脱脂綿を入れ、一晩絶食させ、シャーレに馴化させる。
（２）餌（砂糖水を吸水させた膨潤体）を入れた毒餌剤載置皿をシャーレ中央に設置する（単独設置）。比較例として毒餌剤載置皿を用いずにシャーレに直に餌を設置する。
（３）試験開始後１０分間で、餌に到達したアミメアリの数を数える。なお、一度毒餌剤載置皿から出て再度餌に到達したアミメアリも累計する。
【００６１】
実験結果
上記実験を２回繰り返し、アミメアリの数の累計数を算出した。上記実験の結果、下記表１に示すように、凸状ガード部９´の高さｈ´を２ｍｍ以下とすることで、毒餌剤容器内の餌への到達頭数が多くなる傾向が見られた。
【００６２】
【表１】
2011010629.tif 000003
【００６３】
次に、切欠１１の幅ｗについて、図１〜図７に記載の毒餌剤容器１を用いて、下記のような実験を行った。
【００６４】
毒餌剤載置皿３ａ，３ｂへのアリの侵入性を向上させるため、切欠１１の幅ｗについて検討した。
【００６５】
実験に際し、切欠１１の幅ｗが１ｍｍ，２ｍｍ，３ｍｍ，４ｍｍ，５ｍｍの毒餌剤載置皿を作成した。なお、凸状ガード部９の高さｈ＝３ｍｍ、切欠１１の底部までの高さｈａ＝１．５ｍｍである。また、比較例として、切欠無しの毒餌剤載置皿も作成した。
【００６６】
実験方法
（１）プラスチックカップにアミメアリ約１００頭を入れる。
（２）このプラスチックカップ内に、水で湿らせた脱脂綿を入れた毒餌剤載置皿を設置し、試験を開始した。但し、毒餌剤載置皿として、切欠１１の幅ｗが１ｍｍ，２ｍｍ，３ｍｍ，４ｍｍ，５ｍｍのもの、及び比較例として切欠なしのものを単体で設置した。
（３）試験開始後、アミメアリ１０頭が毒餌剤載置皿に侵入するまでの時間を測定した。
【００６７】
実験結果
上記実験を２回繰り返し、測定時間の平均値を算出した。上記実験の結果、下記表２に示すように、切欠１１の幅ｗを３ｍｍ以上に設定することで、アリの侵入時間を短縮できることが確認された。
【００６８】
【表２】
2011010629.tif 000004
【００６９】
上記表２に示すように、切欠幅ｗを３ｍｍ以上に設定した場合、アリの毒餌剤載置皿への侵入が良好になることが判明した。
【００７０】
上記結果に基づき、凸状ガード部９の高さｈ、切欠１１の幅ｗを最適化することにより、毒餌剤容器１内へアリを短時間で侵入させることができる。
【符号の説明】
【００７１】
１  毒餌剤容器
３ａ，３ｂ  毒餌剤載置皿
５  ヒンジ部
７ａ  山形部分
７ｂ  谷形部分
９  凸状ガード部
１１  切欠
１３  支持機構
１５  筒状の挿入部材
１７  筒状の嵌合部材
１９  棒状体
２１  毒餌剤
２３  チューブ
２５  毒餌剤載置面
【図１】
2011010629.tif 000005
【図２】
2011010629.tif 000006
【図３】
2011010629.tif 000007
【図４】
2011010629.tif 000008
【図５】
2011010629.tif 000009
【図６】
2011010629.tif 000010
【図７】
2011010629.tif 000011
【図８】
2011010629.tif 000012
【図９】
2011010629.tif 000013